(57)【要約】  電池パックは、１または複数の電池セルと、第２の端子部および排水孔を有する電気機器または充電機器の接続部に対して着脱自在に係着され、第２の端子部と接続される第１の端子部を有するコネクタ部とを備える。コネクタ部は、回転により接続部に係着され、コネクタ部の一部によって排水孔を塞ぐ。
2017073004.tif 000002
【特許請求の範囲】
【請求項１】
１または複数の電池セルと、  第２の端子部および排水孔を有する電気機器または充電機器の接続部に対して着脱自在に係着され、前記第２の端子部と接続される第１の端子部を有するコネクタ部とを備え、  前記コネクタ部は、回転により前記接続部に係着され、前記コネクタ部の一部によって前記排水孔を塞ぐ電池パック。
【請求項２】
前記コネクタ部および前記接続部の少なくとも一方に配置されたシール部材を備え、  前記コネクタ部は、回転に伴い回転軸方向において前記接続部に近接する方向に向かって移動して、前記シール部材を押圧する請求項１に記載の電池パック。
【請求項３】
前記コネクタ部は、前記排水孔を覆う前記シール部材を押圧する請求項２に記載の電池パック。
【請求項４】
回転方向に移動した前記コネクタ部の一部によって前記排水孔を塞ぐ請求項１に記載の電池パック。
【請求項５】
前記接続部は、第２の係合部を有し、  前記コネクタ部は、回転によって前記第２の係合部と係合する前記第１の係合部を有する請求項１に記載の電池パック。
【請求項６】
前記第１の係合部および前記第２の係合部は、回転方向に沿って形成された請求項５に記載の電池パック。
【請求項７】
前記第１の係合部は、前記第１の端子部を含み、  前記第１の端子部は、対向配置されたばね接点部材で構成され、  前記接点部材の対向間隙内に前記第２の係合部が挿入された状態で固定された請求項５に記載の電池パック。
【請求項８】
前記電池セルが収容された電池ホルダをさらに備えた請求項１に記載の電池パック。
【請求項９】
前記電池ホルダは、平面視において回転対称形状となるように前記電池セルを配置固定する請求項８に記載の電池パック。
【請求項１０】
開口された一端面および前記一端面に対向する他端面並びに前記一端面および前記他端面を連結する周面を有し、前記電池ホルダおよび前記電池セルが収容され、前記コネクタ部によって前記開口された一端面が塞がれたケースをさらに備えた請求項８に記載の電池パック。
【請求項１１】
前記ケースは、前記他端面に設けられた握持部を有する請求項１０に記載の電池パック。
【請求項１２】
前記ケースは、円筒形状である請求項１０に記載の電池パック。
【請求項１３】
前記電池セルの充放電を制御する回路基板が、前記ケースに収容された請求項１０に記載の電池パック。
【請求項１４】
電池パックと、  第２の端子部および排水孔を含む接続部を有する電気機器本体とを備え、  前記電池パックは、  １または複数の電池セルと、  前記接続部に対して着脱自在に係着され、前記第２の端子部と接続される第１の端子部を有するコネクタ部とを備え、  前記コネクタ部は、回転により前記接続部に係着され、前記コネクタ部の一部によって前記排水孔を塞ぐ電気機器。
【請求項１５】
第１の端子部を含む電池パックのコネクタ部が着脱自在に係着され、前記第１の端子部に接続される第２の端子部および排水孔を含む接続部を備え、  前記コネクタ部は、回転により前記接続部に係着され、前記コネクタ部の一部によって前記排水孔を塞ぐ充電機器。
【発明の詳細な説明】
【技術分野】
【０００１】  本技術は、電池パック、電気機器および充電機器に関する。
【背景技術】
【０００２】  リチウムイオン二次電池などの二次電池は、１または複数の電池セルに対して、保護回路などの回路を付加した電池パックとして、広く使用されている。電池パックは、電気機器の電源として使用され（特許文献１を参照）、充電ホルダなどの充電機器に接続されて充電される。【０００３】  電池パックでは、スライドなどの挿入や一点支点による嵌合などが電池セルを収容する電池ケースなどに採用され、これにより、電池パック自体の防水性を高めることが行われている。
【先行技術文献】
【特許文献】
【０００４】
【特許文献１】特開２０１１−２２２２５５号公報
【発明の概要】
【発明が解決しようとする課題】
【０００５】  電池パックでは、電気機器や充電機器に接続した状態の防水性を高めることが求められている。【０００６】  したがって、本技術の目的は、防水性を高めることが可能な電池パック、電気機器および充電機器を提供することにある。
【課題を解決するための手段】
【０００７】  上述した課題を解決するために、本技術は、１または複数の電池セルと、第２の端子部および排水孔を有する電気機器または充電機器の接続部に対して着脱自在に係着され、第２の端子部と接続される第１の端子部を有するコネクタ部とを備え、コネクタ部は、回転により接続部に係着され、コネクタ部の一部によって排水孔を塞ぐ電池パックである。【０００８】  本技術は、電池パックと、第２の端子部および排水孔を含む接続部を有する電気機器本体とを備え、電池パックは、１または複数の電池セルと、接続部に対して着脱自在に係着され、第２の端子部と接続される第１の端子部を有するコネクタ部とを備え、コネクタ部は、回転により接続部に係着され、コネクタ部の一部によって排水孔を塞ぐ電気機器である。【０００９】  本技術は、第１の端子部を含む電池パックのコネクタ部が着脱自在に係着され、第１の端子部に接続される第２の端子部および排水孔を含む接続部を備え、コネクタ部は、回転により接続部に係着され、コネクタ部の一部によって排水孔を塞ぐ充電機器である。
【発明の効果】
【００１０】  本技術によれば、防水性を高めることができる。なお、ここに記載された効果は必ずしも限定されるものではなく、本技術に記載されたいずれかの効果であっても良い。
【図面の簡単な説明】
【００１１】
【図１】図１は本技術の第１の実施の形態に係る電池パックの構成の一例を示す分解斜視図である。
【図２】図２は電池パックの外観の一例を示す上面図、下面図、正面図、背面図、右側面図および左側面図である。
【図３】図３Ａは電池パックの外観の一例を示す上面側の斜視図である。図３Ｂは電池パックの外観の一例を示す下面側の斜視図である。
【図４】図４Ａ、図４Ｂおよび図４Ｃは電池セルの配置例を示す擬略図である。
【図５】図５Ａおよび図５Ｂは、電池パックの外観の一例を示す斜視図である。図５Ｃはコネクタ部の平面図である。
【図６】図６Ａはコネクタ部が接続部に挿入された電池パックを側方から観察した概略図である。図６Ｂは回転前の図６ＡにおけるＡ位置での断面の一部を示す概略断面図である。図６Ｃは回転係合後の図６ＡにおけるＢ位置での断面の一部を示す概略断面図である。
【図７】図７Ａはコネクタ部が接続部に挿入された電池パックの横断面の概略図である。図７Ｂは図７Ａの状態からコネクタ部が回転した後の電池パックの横断面の概略図である。
【図８】図８Ａ〜図８Ｃはコネクタ部の第１の係合部および接続部の第２の係合部の係合構造の変形例１を示す概略図である。
【図９】図９Ａ〜図９Ｄはコネクタ部の第１の係合部および接続部の第２の係合部の係合構造の変形例２を示す概略図である。
【図１０】図１０は本技術の第２の実施の形態に係る電気機器の構成の一例を示すブロック図である。
【発明を実施するための形態】
【００１２】  以下、本技術の実施の形態について図面を参照して説明する。なお、説明は、以下の順序で行う。１．第１の実施の形態（電池パックの例）２．第２の実施の形態（電気機器および充電機器の例）３．変形例
【００１３】＜１．第１の実施の形態＞（電池パックの構成）  まず、図１、図２、並びに図３Ａおよび図３Ｂを参照して、本技術の第１の実施の形態に係る電池パックの構成の一例について説明する。
【００１４】  図１に示すように、電池パックは、電池モジュールＭと、コネクタ部１３と、第１の回路基板１４と、第２の回路基板１５と、電池ケース１６と、シール部材１７とを含む。なお、電池パックにシール部材１７を設けないで、接続部２１にシール部材１７を設けてもよい。
【００１５】  電池モジュールＭは、１または複数の電池ブロック（図１に示す例では２つの電池ブロックＢ１およびＢ２）を含む。電池ブロックＢ１およびＢ２は、それぞれ、組電池１１および電池ホルダ１２を含む。組電池１１は、直列および／または並列に接続された複数の電池セル１１ａからなる。組電池１１は図示しない接続端子板などの導電部材などで電気的に接続されている。
【００１６】  図２、図３Ａおよび図３Ｂに示すように、電池パックは、例えば、略円柱状の外形を有し、そのコネクタ部１３が、電気機器本体（図示省略）または充電機器（図示省略）が備える接続部２１に対して、回転によって着脱自在に係着されるものである。
【００１７】（電池ケース）  電池ケース１６は、開口された一端面および一端面に対向する他端面並びに一端面および他端面を連結する周面を有する中空構造体である。電池ケース１６は、例えば、一端面が開口された中空構造を有する略円筒形状を有している。
【００１８】  電池ケース１６の内部空間には、電池ブロックＢ１およびＢ２（電池モジュールＭ）、第１の回路基板１４および第２の回路基板１５が収容され、電池ケース１６の開口一端面がコネクタ部１３によって塞がれている。２つの電池ブロックＢ１およびＢ２は、電池ケース１６の開口一端面から対向する他端面に向かって、積層された配置で、電池ケース１６の内部空間に収容されている。
【００１９】  なお、第１の回路基板１４および第２の回路基板１５は、例えば、電池パックの動作制御などを行うために設けられたメイン基板、接続基板である。第１の回路基板１４および第２の回路基板１５の一例には、例えば、充放電制御部、電流検出回路、電圧検出回路、温度検出部などが含まれている。
【００２０】  電池ケース１６の他端面には、ハンドル部などの握持部材３１が設けられていてもよい。これにより、電池パックを回転させる回転操作の利便性および持ち運びの時の利便性を向上することができる。
【００２１】（電池ブロック）  電池ケース１６には、１または複数の電池ブロック（図１に示す一例では２つの電池ブロックＢ１およびＢ２）が収容されている。
【００２２】（組電池）  １つの電池ブロックＢ１およびＢ２のそれぞれに含まれる組電池１１は、複数個の電池セル１１ａで構成されている。なお、組電池１１に代えて、単電池（例えば１つの電池セル１１ａ）を用いてもよい。図１に示す一例では、組電池１１は、例えば、直列に接続された７本の電池セル１１ａからなり、２つの組電池１１が並列に接続されている。すなわち、この電池パックでは、１４本の電池セル１１ａが７直列２並列の接続とされている。
【００２３】  電池セル１１ａは、例えば、円筒型リチウムイオン二次電池などの二次電池である。なお、電池セル１１ａは、リチウムイオン二次電池に限定されるものではなく、電池形状も円筒型に限定されるものではなく、角型などであってもよい。また、組電池１１を構成する電池セル１１ａの本数も７本に限定されるものではない。電池ブロックＢ１の電池セル１１ａの本数と電池ブロックＢ２の電池セル１１ａの本数とを、異なるものとしてもよい。
【００２４】（電池ホルダ）  電池ホルダ１２は、例えば、電気絶縁性を有する樹脂からなる樹脂成形品などである。電池ホルダ１２は、上面部および上面部と対向する底面部、並びに、上面部および底面部を連結する周部を有する。周部は、曲面部および矩形状の平面部を有する。曲面部は、電池セル１１ａの周面の一部に対応した形状の曲面が、複数連結した形状を有している。平面部の対向する２辺は曲面部と連結している。平面部と曲面部と連結部には回路基板の略厚さ分の段差が設けられており、これにより平面部を底面とする凹部が形成される。この凹部には、第１の回路基板１４が配置固定されている。
【００２５】  電池ホルダ１２は、上面部から底面部までを貫通する１本の電池セル１１ａ形状に対応した電池セル収容空間を複数有する。複数の電池セル収容空間は、所定の配置で設けられ、これらに収容される複数の電池セル１１ａは、所定の配置で固定され組電池１１を構成する。
【００２６】  例えば、組電池１１は、図４Ａ〜図４Ｃに示すように、平面視において回転対称形状となるように配置されたものが好ましい。回転対称形状とは、所定回転角度毎に形状が回転前形状と一致する対称形状のことをいう。電池ホルダ１２は、図４Ａ〜図４Ｃに示す電池セル１１ａの各配置に対応した複数の電池セル収容空間を有することが好ましい。これにより、接続部２１にコネクタ部１３を回転係合するために行う電池パックの回転をよりスムーズに行うことができる。
【００２７】  なお、図４Ａの組電池１１の一例は、１または複数の電池セル１１ａ（図の例では１本の電池セル）を中心部として、その周りに複数の電池セル（図の例では６本）を円周上に均等配置したものである。図４Ｂおよび図４Ｃの組電池１１の他の例は、複数の電池セル（図の例では６本または５本）を円周上に均等配置したものである。
【００２８】  電池ホルダ１２の上面部は複数の第１の嵌合部を有し、電池ホルダ１２の下面部は第２の嵌合部を有する。電池ホルダ１２の第１の嵌合部は、電池ホルダ１２の第２の嵌合部およびコネクタ部１３の第３の嵌合部の両方と嵌合可能に形成されている。
【００２９】  積層された２つの電池ブロックＢ１およびＢ２において、一方の電池ホルダ１２の第１の嵌合部が、コネクタ部１３の第３の嵌合部と嵌合し、一方の電池ホルダ１２の第２の嵌合部と他方の電池ホルダ１２の第１の嵌合部が嵌合して、２つの電池ブロックＢ１およびＢ２が積層配置で固定される。
【００３０】  なお、電池ホルダ１２の第１の嵌合部および第２の嵌合部、並びに、電池ホルダ１２の第１の嵌合部およびコネクタ部１３の第３の嵌合部は、それぞれ、互いに嵌合可能な構造であればよく、例えば、電池ホルダ１２の第１の嵌合部は、孔状であり、コネクタ部１１３の第２の嵌合部および第３の嵌合部は、第１の嵌合部の孔に嵌合する突起状の構造物などである。
【００３１】（コネクタ部および接続部）  図５Ａ〜図５Ｃを参照しながらコネクタ部および接続部の構成の一例について説明する。
【００３２】（コネクタ部）  コネクタ部１３は、例えば、絶縁性樹脂からなる樹脂成形品などからなる。コネクタ部１３は、電気機器本体と電池パックとを電気的に接続するための接続部品であり、接続部２１が有する第２の端子部（図示省略）と接続される第１の端子部１３ａを有する。第１の端子部１３ａは、電池ブロックなどと電気的に接続されており、電池パックの端子となる。コネクタ部１３は、電池ケース１６の一端に設けられ、電池ケース１６の開口を塞ぐ蓋としての機能も有する。
【００３３】  コネクタ部１３は、回転によって接続部２１に対して着脱自在に係着される。コネクタ部１３の一例は、係着部１３ｂと、一端面が開口し他端面に係着部１３ｂが設けられた筒状の周壁部１３ｃとを有する。周壁部１３ｃが電池ケース１６の開口部に嵌入し、係着部１３ｂによって、電池ケース１６の開口が覆われている。
【００３４】  コネクタ部１３の係着部１３ｂは、第１の係合部４１と、回転係合のための位置合わせ用空間部４２と、シール部材押圧部４３とを備える。例えば、コネクタ部１３の係着部１３ｂは、回転軸に対して略垂直な平面状に設けられたシール部材押圧部４３を有する。コネクタ部１３の係着部１３ｂは、シール部材押圧部４３の周縁に連結された周部に、第１の係合部４１および回転係合のための位置合わせ用空間部４２を有する。
【００３５】  位置合わせ用空間部４２は、回転係合前に接続部２１の第２の係合部５１が挿入され、コネクタ部１３の第１の係合部４１と第２の係合部５１との係合の位置を合わせるために設けられている。
【００３６】  位置合わせ用空間部４２は、例えば、周部に設けられた凹部である。例えば、複数の第１の係合部４１および複数の位置合わせ用空間部４２は、平面視において円周上に交互に均等配置されており、これにより、複数の位置合わせ用空間部４２に挿入された接続部２１の複数の第２の係合部５１および複数の第１の係合部４１のそれぞれが、回転によって、同時に係合するようになされている。
【００３７】  シール部材押圧部４３は、シール部材１７が密接される部分である。シール部材押圧部４３に、予めシール部材１７が密接されるように配置してもよいし、接続部２１の所定位置にシール部材１７を設けて、コネクタ部１３の回転に伴う回転軸方向の移動後に、シール部材押圧部４３がシール部材１７に密接されるようにしてもよい。
【００３８】  シール部材押圧部４３は、第１の係合部４１および接続部２１の第２の係合部５１との回転係合によって、回転と共に回転軸方向において接続部２１に近接する方向に移動して、シール部材押圧部４３の少なくとも一部に密接したシール部材１７を押圧する。
【００３９】（電気機器本体の接続部）  電気機器本体の接続部２１は、電気機器本体の第２の端子部（図示省略）と、コネクタ部１３の第１の係合部４１と係合する第２の係合部５１とを備え、所定位置に排水用の排水孔２１ａが設けられている。排水孔２１ａは、電池パックが接続されていないときに、接続部２１に水がたまることで金属部材などが水没して劣化しないように、水を排水するために設けられている。電池パックを接続部２１に接続した状態では、この排水孔２１ａが塞がれていないと、接続部分に水分が進入して、接触不良などが生じてしまうおそれがある。
【００４０】  接続部２１の一例は、例えば、底面部および底面部の周縁に立接された周壁部を有し、周壁部に第２の係合部５１が形成され、底面部に排水用の排水孔２１ａが設けられている。
【００４１】（シール部材）  コネクタ部１３の所定位置には、シール部材１７が設けられている。なお、シール部材１７は、コネクタ部１３および接続部２１の少なくとも一方の所定位置に設けられていればよい。図１に示す一例では、シール部材１７は、シール部材押圧部４３に対応する平面形状を有し、コネクタ部１３のシール部材押圧部４３に密接するように設けられている。
【００４２】  シール部材１７は、例えば、排水孔２１ａを覆うシール部材、または、排水孔の周縁を囲むシール部材（例えば、Ｏリングなど）など、所定位置に配置されたものなどである。押圧された状態のシール部材１７によって、排水孔２１ａおよび排水孔２１ａの周縁とコネクタ部１３との間から水分が浸入することを防止することができる。これにより、コネクタ部１３と接続部２１とが接続した状態においても優れた防水性を得ることができる。なお、排水孔２１ａ以外の防水が必要な部分を覆う他のシール部材や防水が必要な部分を囲む他のシール部材などを配置してもよい。
【００４３】  シール部材１７は、例えば、ゴム材料などの弾性部材などの柔軟性を有している部材である。ゴム材料としては例えば、ニトリルゴム、スチロールゴム、シリコンゴム、フッ素ゴム、スチレンブタジエンゴム、ブタジエンゴム、イソプレンゴム、アクリルゴム、アクリロニトリルブタジエンゴムなどである。
【００４４】（コネクタ部および接続部の係着）  図６Ａ〜図６Ｃおよび図７Ａ〜図７Ｂを参照しながらコネクタ部および接続部の係着について説明する。なお、図６Ａはコネクタ部が接続部に挿入された電池パックを側方から観察した概略図である。図６Ｂは回転前の図６ＡにおけるＡ位置での断面の一部を示す概略断面図である。図６Ｃは回転係合後の図６ＡにおけるＢ位置での断面の一部を示す概略断面図である。図７Ａはコネクタ部が接続部に挿入された電池パックの横断面の概略図である。図７Ｂは図７Ａの状態からコネクタ部が回転した後の電池パックの横断面の概略図である。
【００４５】  コネクタ部１３を接続部２１に係着させる場合、電池パック全体を回転させることに伴うコネクタ部１３の回転によって、コネクタ部１３の第１の係合部４１と接続部２１の第２の係合部５１とが係合する。
【００４６】  図６Ａ〜図６Ｃに示すように、コネクタ部１３の第１の係合部４１および接続部２１の第２の係合部５１の回転係合によって、コネクタ部１３の係着部１３ｂは、回転と共に回転軸方向に近接する方向に移動して接続部２１に係着される。この回転係合において、例えば、回転軸方向におけるコネクタ部１３の移動距離ｃが生じる。図７Ａおよび図７Ｂに示すように、コネクタ部１３および接続部２１の係着状態において、回転方向に移動したコネクタ部１３の一部（例えばシール部材押圧部４３の一部）により、排水孔２１ａが塞がれる。
【００４７】  また、この係着状態において、図６Ｃに示すように、コネクタ部１３のシール部材押圧部４３の少なくとも一部が、シール部材１７を介して、接続部２１の内面に密接された状態で固定され、シール部材１７はコネクタ部１３によって押圧された状態とされる。また、接続部２１の他の防水が必要な部分などに配置された他のシール部材６１も、コネクタ部１３の一部によって押圧された状態とされる。
【００４８】  例えば、コネクタ部１３の第１の係合部４１の一例は、回転軸方向に傾斜を有する回転方向に沿って形成された１または複数の凹溝などである。接続部２１の第２の係合部５１の一例は、凹溝（第１の係合部４１）に係合可能であり、回転軸方向に傾斜を有する回転方向に沿って形成された１または複数の構造物である。この構造物は、例えば、周壁部から回転軸に向かって突出するように設けられた１または複数の板状体などである。
【００４９】  コネクタ部１３および接続部２１の一例では、コネクタ部１３の係着部１３ｂの周部に設けられた第１の係合部４１と接続部２１の周壁部に設けられた第２の係合部５１とが、回転と共に回転軸方向に移動しながら係合する。これにより、回転軸方向に略垂直な平面状に設けられたシール部材押圧部４３は、接続部２１に近接する方向に移動して、シール部材押圧部４３上に密接されたシール部材１７を押圧する。これにより、シール部材１７は押圧状態とされ、シール部材１７に覆われた排水孔２１ａを隙間なく塞ぐことができる。その結果、優れた防水性を得ることができる。なお、シール部材１７と密接してシール部材１７を押圧する部分は、シール部材押圧部４３以外のコネクタ部１３の一部であってもよい。
【００５０】  第１の係合部４１は第１の端子部１３ａを含むようにしてもよい。接続部２１の第２の係合部５１は第２の端子部（図示省略）を含むようにしてもよい。この場合、第１の係合部４１および第２の係合部５１の係合部分において、第１の端子部１３ａおよび第２の端子部が接触して、両者の電気的接続がなされる。このとき、第１の係合部４１および第２の係合部５１の係合を、固定するような構造としてもよい。例えば、図６Ｃに示すように、第１の端子部１３ａを、対向配置された２枚のばね板などのばね接点部材で構成して、その接点部材の対向間隙内に第２の係合部５１が挿入された状態で固定されるようにしてもよい。
【００５１】＜コネクタ部の第１の係合部および接続部の第２の係合部の変形例＞  コネクタ部の第１の係合部および接続部の第２の係合部の係合部の構造は、次のようなものであってもよい。
【００５２】（変形例１：螺合方式）  図８Ａ〜図８Ｃを参照しながら、コネクタ部の第１の係合部および接続部の第２の係合部の係合構造の変形例１を説明する。
【００５３】  変形例１では、コネクタ部１３は第１の係合部４１としてネジ溝部を有し、接続部２１は第２の係合部５１としてネジ溝部が螺合する螺合部を有する。回転によって、第１の係合部４１が接続部２１の第２の係合部５１に螺合され、コネクタ部１３は回転と共に回転軸方向において接続部２１に近接する方向に移動して、接続部２１に係着される。
【００５４】（変形例２：カギ形状方式）  図９Ａ〜図９Ｄを参照しながら、コネクタ部１３の第１の係合部４１および接続部２１の第２の係合部５１の係合構造の変形例２を説明する。
【００５５】  変形例２では、コネクタ部１３は、第１の係合部４１として、カギ部の形状に対応した空間を有し、回転係合のための位置合わせ用空間部４２として、カギ部の全体が入り込める空間を有する。まず接続部２１のカギ部（第２の係合部５１）の全体が位置合わせ用空間部４２に挿入され、コネクタ部１３の回転と共に回転軸方向において接続部２１に近接する方向に移動して、コネクタ部１３のカギ部の形状に対応した空間（第１の係合部４１）に、接続部２１のカギ部（第２の係合部５１）が係合する。これにより、コネクタ部１３は回転と共に回転軸方向において接続部２１に近接する方向に移動して、接続部２１に係着される。
【００５６】＜２．第２の実施の形態＞  第２の実施の形態では、第１の実施の形態に係る電池パックを備える電気機器および第１の実施の形態に係る電池パックを充電する充電機器について説明する。
【００５７】  以下、図１０を参照して、本技術の第２の実施の形態に係る電気機器５００の一構成例について説明する。
【００５８】  電気機器５００としては、例えば、電動バイク、電動自転車、電動アシスト自転車、ハイブリッドカー、電動飛行体（電動無人飛行体）、電動工具などのパワーツールが挙げられる。電気機器５００はこれに限定されるものではなく、上記以外の電気機器５００としては、例えば、ノート型パーソナルコンピュータ、タブレット型コンピュータ、携帯電話（例えばスマートフォンなど）、携帯情報端末（Personal Digital Assistants：ＰＤＡ）、撮像装置（例えばデジタルスチルカメラ、デジタルビデオカメラなど）、オーディオ機器、ゲーム機器、ナビゲーションシステム、電気シェーバー、冷蔵庫、エアコン、テレビ、ステレオ、温水器、電子レンジ、食器洗い器、洗濯機、乾燥器、照明機器、玩具、医療機器、ロボット、ロードコンディショナー、信号機などが挙げられる。
【００５９】  電気機器５００は、電気機器本体５０１と、電池パック５０２とを備える。電気機器５００は、例えば、ユーザにより電池パック５０２を着脱自在な構成を有している。電池パック５０２は、第１の実施の形態に係る電池パックと同様の構成を有し、電気機器本体５０１は、電池パック５０２のコネクタ部１３に回転によって係着される接続部２１を有する。電池パック５０２のコネクタ部１３および電気機器本体５０１の接続部２１が、回転によって係着され、回転によって取り外される。
【００６０】（電池パック）  電池パック５０２は、正極端子５３１ａおよび負極端子５３１ｂを備え、充電時には正極端子５３１ａおよび負極端子５３１ｂがそれぞれ充電機器（図示省略）の正極端子、負極端子に接続され、充電が行われる。また、電気機器使用時には、正極端子５３１ａおよび負極端子５３１ｂがそれぞれ電気機器本体５０１の正極端子、負極端子に接続され、放電が行われる。正極端子５３１ａおよび負極端子５３１ｂは、例えば、上述した第１の端子部１３ａに含まれる。
【００６１】  電池パック５０２は、直列および／または並列に接続された複数の組電池１１と、充放電回路５０３を備えている。なお、充放電回路５０３が各組電池１１に設けられている構成を採用してもよい。直列および／または並列に接続された複数の組電池１１は、充放電回路５０３に電気的に接続されている。充放電回路５０３は、正極端子５３１ａおよび負極端子５３１ｂを介して電気機器本体５０１に対して電気的に接続されている。
【００６２】  充電時には、充放電回路５０３は、組電池１１に対する充電を制御する。一方、放電時（すなわち電気機器５００の使用時）には、充放電回路５０３は、電気機器本体５０１に対する放電を制御する。
【００６３】（電気機器本体）  電気機器本体５０１は、正極端子５３１ａ、負極端子５３１ｂを介して電池パック５０２から電力の供給を受ける。
【００６４】（充電機器）  充電機器は、例えば、接続部２１を有する充電ホルダなどである。電池パック５０２のコネクタ部１３が、充電機器の接続部２１に接続されることにより、コネクタ部１３と、充電機器の接続部２１とが接続され、充電が行われる。
【００６５】＜３．変形例＞  以上、本技術の実施の形態について具体的に説明したが、本技術は、上述の実施の形態に限定されるものではなく、本技術の要旨を逸脱しない範囲内で様々な変形や応用が可能である。
【００６６】  例えば、上述の実施の形態において挙げた構成、方法、工程、形状、材料および数値などはあくまでも例に過ぎず、必要に応じてこれと異なる構成、方法、工程、形状、材料および数値などを用いてもよい。
【００６７】  また、上述の実施の形態の構成、方法、工程、形状、材料および数値などは、本技術の主旨を逸脱しない限り、互いに組み合わせることが可能である。
【００６８】  また、本技術は以下の構成を採用することもできる。［１］  １または複数の電池セルと、  第２の端子部および排水孔を有する電気機器または充電機器の接続部に対して着脱自在に係着され、前記第２の端子部と接続される第１の端子部を有するコネクタ部とを備え、  前記コネクタ部は、回転により前記接続部に係着され、前記コネクタ部の一部によって前記排水孔を塞ぐ電池パック。［２］  前記コネクタ部および前記接続部の少なくとも一方に配置されたシール部材を備え、  前記コネクタ部は、回転に伴い回転軸方向において前記接続部に近接する方向に向かって移動して、前記シール部材を押圧する［１］に記載の電池パック。［３］  前記コネクタ部は、前記排水孔を覆う前記シール部材を押圧する［２］に記載の電池パック。［４］  回転方向に移動した前記コネクタ部の一部によって前記排水孔を塞ぐ［１］〜［３］の何れか一に記載の電池パック。［５］  前記接続部は、第２の係合部を有し、  前記コネクタ部は、回転によって前記第２の係合部と係合する前記第１の係合部を有する［１］〜［４］の何れか一に記載の電池パック。［６］  前記第１の係合部および前記第２の係合部は、回転方向に沿って形成された［５］に記載の電池パック。［７］  前記第１の係合部は、前記第１の端子部を含み、  前記第１の端子部は、対向配置されたばね接点部材で構成され、  前記接点部材の対向間隙内に前記第２の係合部が挿入された状態で固定された［５］に記載の電池パック。［８］  前記電池セルが収容された電池ホルダをさらに備えた［１］〜［７］の何れか一に記載の電池パック。［９］  前記電池ホルダは、平面視において回転対称形状となるように前記電池セルを配置固定する［８］に記載の電池パック。［１０］  開口された一端面および前記一端面に対向する他端面並びに前記一端面および前記他端面を連結する周面を有し、前記電池ホルダおよび前記電池セルが収容され、前記コネクタ部によって前記開口された一端面が塞がれたケースをさらに備えた［８］に記載の電池パック。［１１］  前記ケースは、前記他端面に設けられた握持部を有する［１０］に記載の電池パック。［１２］  前記ケースは、円筒形状である［１０］〜［１１］の何れか一に記載の電池パック。［１３］  前記電池セルの充放電を制御する回路基板が、前記ケースに収容された［１０］〜［１２］の何れか一に記載の電池パック。［１４］  電池パックと、  第２の端子部および排水孔を含む接続部を有する電気機器本体とを備え、  前記電池パックは、  １または複数の電池セルと、  前記接続部に対して着脱自在に係着され、前記第２の端子部と接続される第１の端子部を有するコネクタ部とを備え、  前記コネクタ部は、回転により前記接続部に係着され、前記コネクタ部の一部によって前記排水孔を塞ぐ電気機器。［１５］  第１の端子部を含む電池パックのコネクタ部が着脱自在に係着され、前記第１の端子部に接続される第２の端子部および排水孔を含む接続部を備え、  前記コネクタ部は、回転により前記接続部に係着され、前記コネクタ部の一部によって前記排水孔を塞ぐ充電機器。
【符号の説明】
【００６９】  １１・・・組電池  １１ａ・・・電池セル  １２・・・電池ホルダ  Ｂ１、Ｂ２・・・電池ブロック  Ｍ１・・・電池モジュール  １４・・・第１の回路基板  １５・・・第２の回路基板  １６・・・電池ケース  １７・・・シール部材  ２１・・・接続部  ３１・・・握持部  ５００・・・電気機器  ５０１・・・電気機器本体  ５０２・・・電池パック
【図１】
2017073004.tif 000003
【図２】
2017073004.tif 000004
【図３】
2017073004.tif 000005
【図４】
2017073004.tif 000006
【図５】
2017073004.tif 000007
【図６】
2017073004.tif 000008
【図７】
2017073004.tif 000009
【図８】
2017073004.tif 000010
【図９】
2017073004.tif 000011
【図１０】
2017073004.tif 000012
【国際調査報告】
2017073004.tif 000013
2017073004.tif 000014
2017073004.tif 000015
2017073004.tif 000016